(57)【要約】【課題】マウントにおける電気接点の接触不良を防止する。【解決手段】レンズ鏡筒の鏡筒側マウント爪と係合する本体側マウント爪を含み、鏡筒側マウント爪および本体側マウント爪が係合された状態で所定位置まで回転されたレンズ鏡筒が取り付けられる本体側マウントと、レンズ鏡筒が取り付けられた状態でレンズ鏡筒の鏡筒側接点に接して、電気的に接続する本体側接点とを備え、鏡筒側接点が本体側接点に対向する位置に到達していない場合は、本体側接点がレンズ鏡筒から離間する位置に退避し、レンズ鏡筒を回転させることにより鏡筒側接点が本体側接点に対向する位置に到達した場合は、レンズ鏡筒の回転による駆動力を受けて鏡筒側接点に向かって進出して本体側接点を鏡筒側接点に当接させ、本体側接点が鏡筒側接点に当接した状態で、更に、本体側接点を鏡筒側接点に摺動させつつレンズ鏡筒が所定位置まで回転する。【選択図】図１０
2011175191.tif 000002
【特許請求の範囲】
【請求項１】
レンズ鏡筒の鏡筒側マウント爪と係合する本体側マウント爪を含み、前記鏡筒側マウント爪および前記本体側マウント爪が係合された状態で所定位置まで回転された前記レンズ鏡筒が取り付けられる本体側マウントと、
前記レンズ鏡筒が取り付けられた状態で前記レンズ鏡筒の鏡筒側接点に接して、電気的に接続する本体側接点と
を備え、
前記鏡筒側接点が前記本体側接点に対向する位置に到達していない場合は、前記本体側接点が前記レンズ鏡筒から離間する位置に退避し、
前記レンズ鏡筒を回転させることにより前記鏡筒側接点が前記本体側接点に対向する位置に到達した場合は、前記レンズ鏡筒の回転による駆動力を受けて前記鏡筒側接点に向かって進出して前記本体側接点を前記鏡筒側接点に当接させ、
前記本体側接点が前記鏡筒側接点に当接した状態で、更に、前記本体側接点を前記鏡筒側接点に摺動させつつ前記レンズ鏡筒が前記所定位置まで回転する
カメラ本体。
【請求項２】
前記鏡筒側接点および前記本体側接点のいずれか一方は他方に向かって付勢された可動接点であり、
前記本体側接点の進出の方向は、前記可動接点に対する付勢方向と直交する
請求項１に記載のカメラ本体。
【請求項３】
前記本体側接点は、前記カメラ本体に対して取り付けられる前記レンズ鏡筒の径方向に進退する請求項１または請求項２に記載のカメラ本体。
【請求項４】
前記本体側接点は、前記カメラ本体に対して取り付けられる前記レンズ鏡筒の光軸方向に進退する請求項１または請求項２に記載のカメラ本体。
【請求項５】
前記本体側接点は、前記レンズ鏡筒が回転された場合に前記本体側マウント爪に対して変位する前記鏡筒側マウント爪に押されて進出する請求項１から請求項４までのいずれかに記載のカメラ本体。
【請求項６】
前記鏡筒側マウント爪から受けた、前記レンズ鏡筒の回転方向に沿った駆動力を、前記本体側接点の進出の方向に変換する斜面を有する請求項５に記載のカメラ本体。
【請求項７】
カメラ本体の本体側マウント爪と係合する鏡筒側マウント爪を含み、前記本体側マウント爪および前記鏡筒側マウント爪が係合した状態で前記カメラ本体のマウントに対して所定位置まで回転されて前記カメラ本体に取り付けられる鏡筒側マウントと、
前記カメラ本体に取り付けられた状態で前記カメラ本体の本体側接点に接して、電気的に接続する鏡筒側接点と
を備え、
前記鏡筒側接点が前記本体側接点に対向する位置に到達していない場合は、前記鏡筒側接点が前記本体側接点から離間する位置に退避し、
前記カメラ本体に対してレンズ鏡筒を回転させることにより前記鏡筒側接点が前記本体側接点に対向する位置に到達した場合は、前記鏡筒の回転による駆動力を受けて前記本体側接点に向かって進出して前記鏡筒側接点を前記本体側接点に当接させ、
前記鏡筒側接点が前記本体側接点に当接した状態で、更に、前記鏡筒側接点を前記本体側接点に摺動させつつ前記カメラ本体に対して前記所定位置まで回転する
レンズ鏡筒。
【請求項８】
前記本体側接点および前記鏡筒側接点のいずれか一方は他方に向かって付勢された可動接点であり、
前記鏡筒側接点の進出の方向は、前記可動接点に対する付勢方向と直交する
請求項７に記載のレンズ鏡筒。
【請求項９】
前記鏡筒側接点は、前記レンズ鏡筒の径方向に進退する請求項７または請求項８に記載のレンズ鏡筒。
【請求項１０】
前記鏡筒側接点は、前記レンズ鏡筒の光軸方向に進退する請求項７または請求項８に記載のレンズ鏡筒。
【請求項１１】
前記鏡筒側接点は、前記レンズ鏡筒が回転された場合に前記鏡筒側マウント爪に対して相対的に変位する前記本体側マウント爪に押されて進出する請求項７から請求項１０までのいずれかに記載のレンズ鏡筒。
【請求項１２】
前記本体側マウント爪から受けた、前記レンズ鏡筒の回転方向に沿った駆動力を、前記鏡筒側接点の進出の方向に変換する斜面を有する請求項１１に記載のレンズ鏡筒。
【発明の詳細な説明】
【技術分野】
【０００１】
本発明は、カメラ本体およびレンズ鏡筒に関する。
【背景技術】
【０００２】
下記の特許文献１には、バヨネットマウントによりカメラボディに対して着脱できる交換レンズ等が記載される。カメラボディとそれに対応した交換レンズ等はそれぞれ複数の接点を有して、交換レンズ等をカメラボディに装着した場合に、接点が相互に接触してカメラボディおよび交換レンズを電気的に接続する。カメラボディおよび交換レンズ等の接点は、一方の接点が他方の接点に向かって付勢された可動接点となっている。
［先行技術文献］
［特許文献］
［特許文献１］特開平０２−１６３７２８号公報
【発明の概要】
【発明が解決しようとする課題】
【０００３】
カメラボディおよび交換レンズの各々に設けられる複数の接点は、樹脂等の絶縁材料等を間に挟んで配され、相互に位置決めされると共に短絡が防止される。しかしながら、カメラボディに対する脱着のために交換レンズを回転させると、可動接点が、対向する接点の間の絶縁材料も擦過して、絶縁材料の磨耗粉を生じさせる。絶縁材料の磨耗粉がカメラボディ側接点と交換レンズ側接点との間に挟まると接続不良を生じる場合がある。
【課題を解決するための手段】
【０００４】
そこで、上記課題を解決すべく、本発明の第１の態様として、レンズ鏡筒（１００）の鏡筒側マウント爪（１１４）と係合する本体側マウント爪（２６４）を含み、鏡筒側マウント爪および本体側マウント爪が係合された状態で所定位置まで回転されたレンズ鏡筒が取り付けられる本体側マウント（２６０）と、レンズ鏡筒が取り付けられた状態でレンズ鏡筒の鏡筒側接点（１１６）に接して、電気的に接続する本体側接点（１２６）とを備え、鏡筒側接点が本体側接点に対向する位置に到達していない場合は、本体側接点がレンズ鏡筒から離間する位置に退避して、レンズ鏡筒を回転させることにより鏡筒側接点が本体側接点に対向する位置に到達した場合は、レンズ鏡筒の回転による駆動力を受けて鏡筒側接点に向かって進出して本体側接点を鏡筒側接点に当接させ、本体側接点が鏡筒側接点に当接した状態で、更に、本体側接点を鏡筒側接点に摺動させつつレンズ鏡筒が所定位置まで回転するカメラ本体（２００）が提供される。
【０００５】
また、本発明の第２の態様として、カメラ本体（２００）の本体側マウント爪（２６４）と係合する鏡筒側マウント爪（１１４）を含み、本体側マウント爪および鏡筒側マウント爪が係合した状態でカメラ本体のマウント（２６０）に対して所定位置まで回転されてカメラ本体に取り付けられる鏡筒側マウントと、カメラ本体に取り付けられた状態でカメラ本体の本体側接点（１２６）に接して、電気的に接続する鏡筒側接点（１１６）とを備え、鏡筒側接点が本体側接点に対向する位置に到達していない場合は、鏡筒側接点が本体側接点から離間する位置に退避して、レンズ鏡筒を回転させることにより鏡筒側接点が本体側接点に対向する位置に到達した場合は、レンズ鏡筒の回転による駆動力を受けて本体側接点に向かって進出して鏡筒側接点を本体側接点に当接させ、鏡筒側接点が本体側接点に当接した状態で、更に、鏡筒側接点を本体側接点に摺動させつつカメラ本体に対して所定位置まで回転するレンズ鏡筒（１００）が提供される。
【０００６】
上記の発明の概要は、本発明の必要な特徴の全てを列挙したものではない。また、これらの特徴群のサブコンビネーションもまた、発明となり得る。
【図面の簡単な説明】
【０００７】
【図１】交換レンズ１００の形状を示す斜視図である。
【図２】カメラボディ２００の形状を示す斜視図である。
【図３】カメラシステム３００全体の構造を示す断面図である。
【図４】マウント２６０の構造を模式的に示す図である。
【図５】交換レンズ１００側のマウント爪１１４周辺の構造を示す図である。
【図６】脱着操作によるマウント爪１１４の変位を説明する図である。
【図７】カメラボディ２００に装着された交換レンズ１００を示す図である。
【図８】接点ユニット４００単体を見上げた様子を示す斜視図である。
【図９】駆動部材５００を示す分解斜視図である。
【図１０】駆動部材５００の動作を説明する図である。
【図１１】駆動部材５００の動作を説明する図である。
【図１２】交換レンズ１００の他の構造を示す斜視図である。
【図１３】交換レンズ１００に対応したカメラボディ２００を示す斜視図である。
【図１４】接点ユニット４００および駆動部材５００を示す斜視図である。
【図１５】接点ユニット４００の裏面形状を示す斜視図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、交換レンズ１００単体の外観を、斜め後方から示す斜視図である。交換レンズ１００は、全体として、長手方向に沿って径が変化する円柱状の鏡筒と、当該鏡筒に収容された光学系とを有する。図１では光学系の光軸を一点鎖線Ｘにより示す。
【００１０】
交換レンズ１００は、固定筒１１０、ズームリング１２０、ピントリング１３０、スライドスイッチ１０１を周面に有する。ズームリング１２０は、交換レンズ１００の周面に沿って回転させることができる。ズームリング１２０を回転させた場合、交換レンズ１００の倍率（焦点距離）が変化する。
【００１１】
ピントリング１３０も、交換レンズ１００の周面に沿って回転させることができる。ピントリング１３０を回転させた場合、交換レンズ１００の焦点位置が変化する。固定筒１１０は、回転することなく、スライドスイッチ１０１を支持する。スライドスイッチ１０１は、交換レンズ１００の変倍範囲の制限、光学系の接写モードへの切り換え等に使用される。
【００１２】
交換レンズ１００周面の後端付近には、差し込み指標１１８が配される。差し込み指標１１８は、交換レンズ１００をカメラボディに装着する場合に、カメラボディ側の対応する指標と位置合わせする目的で配される。
【００１３】
交換レンズ１００の後端面には、マウント面１１２、マウント爪１１４、連動爪２２１および可動接点１１６が配される。可動接点１１６は、交換レンズ１００の後端面から後方に突出した円弧状のリブ１１５の周面に複数配される。
【００１４】
可動接点１１６の各々は、交換レンズ１００の径方向外側に向かって付勢された状態で、リブ１１５の周面から突出する。これにより、カメラボディ側の接点と接触した場合に、接点間の間隙のばらつきを吸収して接続を確実にする。
【００１５】
マウント面１１２は、交換レンズ１００の光学系の光軸Ｘと直行する平坦な環状面をなす。マウント面１１２を、後述するカメラボディのマウント面と密接させることにより、交換レンズ１００の光学系が、カメラボディに対して正確に位置決めされる。マウント面１１２にはロック穴１０２も配されるが、ロック穴１０２については後述する。
【００１６】
マウント爪１１４は、交換レンズ１００が最も小径になった略後端に複数配される。マウント爪１１４のそれぞれは円弧状の形状をなし、固定筒１１０に対して固定される。
【００１７】
連動爪２２１は、交換レンズ１００の後端面から後方に突出する。連動爪２２１は、カメラボディ２００側の連動レバーと機械的に係合して、ユーザがプレビューする場合、レリーズボタンが押されて撮像素子が露光される場合に、絞り装置に駆動力を伝える。
【００１８】
図２は、図１に示した交換レンズ１００を装着して使用できるカメラボディ２００の形状を示す斜視図である。カメラボディ２００は、筐体１４０の表面に配されたコネクタカバー１５０、レバースイッチ１６０、ダイヤルスイッチ１８０、押しボタン１９０、ロック解除ボタン１９２を備える。また、筐体１４０の前面には、マウント２６０が配される。
【００１９】
コネクタカバー１５０は、シンクロケーブル、リモートコントローラ等を接続するコネクタを覆って保護する。レバースイッチ１６０は、電源スイッチ等、選択肢が比較的少ない場合の切り換え操作に用いられる。ダイヤルスイッチ１８０は、選択肢が比較的多い場合の切り換え操作、あるいは、連続的な値の増減操作等に使用される。押しボタン１９０は、一時的な操作モードの切り換え、２者択一の切り換え操作等に用いる電気的なスイッチと、マウントのロック、ミラーアップ、プレビュー等の機械的な機能を有するものとを含む。
【００２０】
マウント２６０は、マウント面２６２およびマウント爪２６４を含む。マウント面２６２は、アパーチャを見通すことができる開口を有する環状の平面をなす。これにより、マウント面２６２は、装着された交換レンズ１００、カメラアクセサリ等の一部に密接する。マウント爪２６４はそれぞれ円弧状の形状を有して、マウント面２６２の内側において径方向内側に向かって突出する。
【００２１】
また、マウント面からは、装着された交換レンズ１００の回転を静止するロックピン１９４が突出する。ロックピン１９４は、マウント面から突出する方向に付勢されており、ロック解除ボタン１９２が押された場合に、マウント面２６２に対して沈み込む。
【００２２】
更に、マウント２６０近傍の筐体１４０表面に、差し込み指標１４４が配される。差し込み指標１４４は、交換レンズ１００をカメラボディ２００に装着する場合に、交換レンズ１００側の差し込み指標１１８と合わせるために設けられている。
【００２３】
また更に、マウント２６０開口の内側には、筐体１４０の内部に配された接点ユニット４００、主鏡２４０、フォーカシングスクリーン２７２等が見える。接点ユニット４００は、樹脂等の絶縁材料により相互に絶縁されつつ一体化された、電気的に独立する複数の電気接点１２６を含む。接点ユニット４００は、マウント面２６２から後方に離間する。
【００２４】
上記のようなカメラボディ２００に対して交換レンズ１００装着する場合は、以下のように操作する。まず、交換レンズ１００およびカメラボディ２００のマウント面１１２、２６２を対向させた状態で、差し込み指標１１８、１４４を相互に合わせる。
【００２５】
これにより、カメラボディ２００側のマウント爪２６４と交換レンズ１００側のマウント爪１１４とは、互いに相補的な位置関係になる。従って、交換レンズ１００の後端をマウント２６０の開口に差し込んだ場合、交換レンズ１００側のマウント爪１１４は、カメラボディ２００側のマウント爪２６４の間を通過して、マウント面２６２の裏面側まで入り込む。
【００２６】
続いて、交換レンズ１００を、その光軸Ｘの回りに回転させると、交換レンズ１００側のマウント爪１１４が、カメラボディ２００側のマウント爪２６４の裏側に入り込み、両者は係合する。マウント爪１１４、２６４の少なくとも一方には僅かなテーパがついているので、交換レンズ１００の回転と共にやがてマウント面１１２、２６２が密接する。これにより、交換レンズ１００は、カメラボディ２００に結合される。
【００２７】
交換レンズ１００が所定の位置まで回転すると、交換レンズ１００側のマウント面１１２に配されたロック穴１０２にロックピン１９４の先端が入り込み、交換レンズ１００は回転しなくなる。交換レンズ１００を取り外す場合は、ロック解除ボタン１９２を押してロックピン１９４を交換レンズ１００から抜いた上で、上記の一連の操作を逆に実行する。
【００２８】
なお、カメラボディ２００のマウント２６０に装着される機材は交換レンズ１００に限られず、中間リング、変換アダプタ、コンバージョンレンズ等が取り付けられる場合もある。この種の機材には、交換レンズ１００側の可動接点１１６とカメラボディ２００側の電気接点１２６とを中継する機能を有するものもある。そのよう機材を装着する場合は、交換レンズ１００の可動接点１１６またはカメラボディ２００の電気接点１２６が接する対象は、中間リング、変換アダプタ、コンバージョンレンズ等の接点となる。
【００２９】
図３は、交換レンズ１００を装着されたカメラボディ２００が形成するカメラシステム３００全体の構造を示す模式的な断面図である。即ち、カメラシステム３００は、相互に結合されたカメラボディ２００および交換レンズ１００を含む全体を指す。なお、図１および図２と共通の構成要素には同じ参照番号を付して重複する説明を省いた。
【００３０】
交換レンズ１００は、複数のレンズＬ１、Ｌ２、Ｌ３、Ｌ４、Ｌ５、Ｌ６と、鏡筒制御部１１１とを含む。レンズＬ１、Ｌ２、Ｌ３、Ｌ４、Ｌ５、Ｌ６は、共通の光軸Ｘ上に配列され、全体として光学系をなす。また、レンズＬ５を保持するレンズ枠には、絞り装置２２２も併せて保持される。
【００３１】
鏡筒制御部１１１は、マウント２６０に隣接して配された接点ユニット４００を介して、カメラボディ２００側に電気的に接続される。これにより、交換レンズ１００は、カメラボディ２００から電力の供給を受けると共に、後述する主制御部２５０と通信できる。
【００３２】
カメラボディ２００は、主鏡２４０、ペンタプリズム２７０、接眼光学系２９０を含む光学系と、主制御部２５０とを収容する。主鏡２４０は、交換レンズ１００の光学系を介して入射した入射光の光路上に傾斜して配置される待機位置と、入射光を避けて上昇する撮影位置（図中に点線で示す）との間を移動する。
【００３３】
待機位置にある主鏡２４０は、入射光の大半を、上方に配置されたフォーカシングスクリーン２７２に導く。フォーカシングスクリーン２７２は、交換レンズ１００の光学系が合焦した場合に像を結ぶ位置に配置され、当該像を可視化する。
【００３４】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００３５】
ペンタプリズム２７０および接眼光学系２９０の間にはハーフミラー２９２が配置される。ハーフミラー２９２は、ファインダＬＣＤ２９４に形成された表示画像を、フォーカシングスクリーン２７２の映像に重畳させる。これにより、接眼光学系２９０の出射端において、フォーカシングスクリーン２７２の映像と、ファインダＬＣＤ２９４の映像とを併せて見ることができる。なお、ファインダＬＣＤ２９４には、カメラシステム３００の撮影条件、設定条件等の情報が表示される。
【００３６】
また、ペンタプリズム２７０の出射光の一部は、測光部２８０に導かれる。測光部２８０は、入射光の強度およびその分布等を測定して、撮影条件を決定する場合に測定結果を参照させる。
【００３７】
一方、入射光の入射面に対する主鏡２４０の裏面には、副鏡２４２が配置される。副鏡２４２は、主鏡２４０を透過した入射光の一部を、下方に配置された焦点検出装置２３０に導く。これにより、主鏡２４０が待機位置にある場合は、焦点検出装置２３０が光学系の焦点調整状態を検出する。なお、主鏡２４０が撮影位置に移動した場合は、副鏡２４２も入射光の光路から退避する。
【００３８】
交換レンズ１００からの入射光に対して主鏡２４０の後方には、シャッタ２２０、光学フィルタ２１２および撮像素子２１０が光軸に沿って配置される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００３９】
また、カメラボディ２００は、交換レンズ１００に対して背面において、外部に面したメインＬＣＤ２９６を備える。メインＬＣＤ２９６は、カメラボディ２００に対する各種の設定情報を表示する他、主鏡２４０が撮影位置に移動している場合に撮像素子２１０に形成された画像を表示することもできる。
【００４０】
主制御部２５０は、上記のような種々の動作を総合的に制御する。また、焦点検出装置２３０が検出した合焦情報を参照して、交換レンズ１００のオートフォーカス機構およびフラッシュ装置等の調光機構を制御する。また、主制御部２５０は、測光部２８０から得られた露出情報を鏡筒制御部１１１に通知して、絞り装置２２２の動作を制御させることもできる。更に、これらの動作においては、交換レンズ１００の焦点距離、スライドスイッチ１０１の状態等が参照される。
【００４１】
図４は、ボディ側マウント２６０の構造を模式的に示す図である。環状のマウント面２６２に対して、それぞれが円弧をなすマウント爪２６４は内側に向かって径方向に突出する。これにより、複数のマウント爪２６４は、全体として、交換レンズ１００のマウント爪１１４と相補的な形状をなす。カメラボディ２００側の電気接点１２６を含む接点ユニット４００は、それ自体も円弧状をなして、マウント２６０の最上部に配される。
【００４２】
図５は、交換レンズ１００側のマウント爪１１４付近の構造を模式的に示す図である。なお、この図は、交換レンズ１００を後方から見た様子ではなく、マウント爪１１４を含む面を、交換レンズ１００の前側から見た仮想的な形態を示す。
【００４３】
交換レンズ１００も、それぞれが円弧状の複数のマウント爪１１４を有するが、マウント爪１１４の各々は、交換レンズ１００の径方向に沿って外側に突出する。また、交換レンズ１００の差し込み指標１１８をカメラボディ２００の差し込み指標１４４に合わせた場合に、交換レンズ１００側のマウント爪１１４は、カメラボディ２００側のマウント爪２６４の無い位置に配される。
【００４４】
従って、差し込み指標１１８、１４４を合わせた場合、交換レンズ１００側のマウント爪１１４は、カメラボディ２００側のマウント爪２６４の間を光軸Ｘ方向に通過できる。なお、差し込み指標１１８、１４４を合わせてマウント爪１１４を差し込んだ直後のひとつのマウント爪１１４の先端位置を、矢印Ｓにより示す。
【００４５】
図６は、脱着操作による交換レンズ１００の変位を説明する図である。前述した通り、交換レンズ１００をカメラボディ２００に装着する場合、交換レンズ１００側の差し込み指標１１８を、カメラボディ２００側の差し込み指標１４４に合わせた位置から最上の位置まで移動するように回転させる。
【００４６】
このように交換レンズ１００が回転されて完全に固定された場合、交換レンズ１００側の可動接点１１６は最上位置に移動する。また、この回転に伴って、マウント爪１１４の端部は、図中に矢印Ｓで示す位置から、矢印Ｌで示す位置まで移動する。
【００４７】
図７は、図４に示したカメラボディ２００のマウント２６０に、図５および図６に示した交換レンズ１００のマウント爪１１４が固定された状態を模式的に示す図である。図示のように、交換レンズ１００が装着されると、交換レンズ１００のマウント爪１１４は、カメラボディ２００のマウント爪２６４の後ろ側に回り込み、交換レンズ１００が脱落しなくなる。また、交換レンズ１００の可動接点１１６が、カメラボディ２００の電気接点１２６に接して、両者の間に電気的接続が形成される。
【００４８】
なお、交換レンズ１００をマウント２６０に装着する場合の交換レンズ１００の回転方向は予め定められている。また、交換レンズ１００を装着する場合の回転量も予め定められている。これら、予め定められた回転方向および回転量は、マウント爪１１４、２６４のいずれかに設けられた回り止めにより規制してもよい。また、マウント爪１１４、２６４とは別に設けた部材により回転方向および回転量を規制してもよい。
【００４９】
図８は、カメラボディ２００の接点ユニット４００を見上げた様子を示す斜視図である。接点ユニット４００は、複数の電気接点１２６と、複数の電気接点１２６を一体化する絶縁体１２１とを含む。
【００５０】
なお、図中の矢印Ｆ、Ｒは、接点ユニット４００が装着された場合のカメラボディ２００の前後を表す。即ち、矢印Ｆは、マウント２６０が配されたカメラボディ２００の前面側を示す。また、矢印Ｒは、カメラボディ２００においてマウント２６０が配された面の裏面に当たる背面側を示す。
【００５１】
絶縁体１２１は、絶縁性の樹脂等により一体に形成される。絶縁体１２１の背面には、絶縁体１２１の全高にわたって垂直に形成された溝状の一対の被駆動部１２５を有する。また、絶縁体１２１の上面には、絶縁体１２１の奥行きの前長にわたって形成された逃げ溝１２７を有する。更に、絶縁体１２１の側端近傍には、絶縁体１２１を前後に貫通する案内穴１２３が配される。
【００５２】
電気接点１２６の各々は、絶縁体１２１に埋め込まれて固定される。また、電気接点１２６は、絶縁体１２１の下面に主に露出するが、一部は絶縁体１２１の前面まで回り込んで露出する。これにより、後述するように接点ユニット４００が移動した場合に、交換レンズ１００の可動接点１１６が、絶縁体１２１に触れることなく摺動する。
【００５３】
図９は、接点ユニット４００を移動させる駆動部材５００の形状を示す分解斜視図である。駆動部材５００は、円弧状の本体１２２に対して形成された、それぞれ一対の斜面１２４および長穴１２８と、単一の被駆動面１２９とを有する。
【００５４】
なお、駆動部材５００は、カメラボディ２００に装着された場合は、コイルバネ１３１により、マウント２６０の周方向に付勢される。また、接点ユニット４００は、一対の板バネ１３５により、矢印Ｒにより示す後方に向かって付勢される。
【００５５】
駆動部材５００において、一対の斜面１２４は、それぞれ、交換レンズ１００の径方向の直線を含む平面を有して、駆動部材５００の長手方向に沿って本体１２２から徐々に離れる傾斜を有する。また、一対の斜面１２４は、本体１２２の前面に対して同じ傾きを有する。
【００５６】
一対の長穴１２８は、駆動部材５００の両端近傍に配される。長穴１２８の各々は、交換レンズ１００の周方向に延在する。
【００５７】
被駆動面１２９は、本体１２２の前面から前方に向かって突出した後、交換レンズ１００の径方向内側に向かって延在する腕状部の先端に配される。これにより、駆動部材５００を接点ユニット４００の後ろ側に配した場合、被駆動面１２９は、接点ユニット４００の前側において、交換レンズ１００の径方向内側に位置する。
【００５８】
図１０は、カメラボディ２００における接点ユニット４００および駆動部材５００の配置を示す図である。接点ユニット４００および駆動部材５００は、案内穴１２３および長穴１２８に、長ネジ１３３を共通に挿通される。
【００５９】
長ネジ１３３の先端は、駆動部材５００後方のカメラボディの一部に固定される。これにより、駆動部材５００は、長ネジ１３３と直交する方向に、長穴１２８に沿って移動する。接点ユニット４００は、長ネジ１３３に沿って前後に移動する。
【００６０】
また、駆動部材５００は、コイルバネ１３１により、図中で右側に向かって付勢される。接点ユニット４００の本体１２２は、一対の板バネ１３５により後方に付勢される。これにより、駆動部材５００も、接点ユニット４００に押されて、背後のカメラボディ２００の一部に向かって押し付けられる。
【００６１】
更に、駆動部材５００の被駆動面１２９は、接点ユニット４００の前側に位置して、マウント面２６２の直後に位置する。また、被駆動面１２９は、マウント面２６２の後方に入り込んだ交換レンズ１００のマウント爪１１４の側方に位置している。
【００６２】
図示の状態では、コイルバネ１３１に付勢された駆動部材５００は、図中で右側に寄っている。このため、被駆動部１２５は、駆動部材５００の本体１２２に近い位置で斜面１２４に当接している。従って、接点ユニット４００は、駆動部材５００の本体１２２に接近している。
【００６３】
接点ユニット４００が上記のように後退している場合、電気接点１２６は、可動接点１１６よりも後方に位置する。従って、可動接点１１６が、接点ユニット４００に接することはない。なお、図示の状態では、交換レンズ１００はまだ回り切っておらず、交換レンズ１００のマウント爪１１４は、被駆動面１２９から離れている。
【００６４】
図１１は、駆動部材５００の動作を説明する図である。図１０に示した状態から、交換レンズ１００をカメラボディ２００に装着する方向に回し切った状態を示す。
【００６５】
交換レンズ１００が回転したことにより、交換レンズ１００のマウント爪１１４は図中で左方に移動する。移動したマウント爪１１４は、駆動部材５００の被駆動面１２９に当接して、更に、被駆動面１２９を押すことにより、コイルバネ１３１に抗して、駆動部材５００を交換レンズ１００の周方向（図中では左方）に移動させる。
【００６６】
駆動部材５００が左方に移動すると、接点ユニット４００の被駆動部１２５の縁部が、駆動部材５００の斜面１２４に押される。ここで、接点ユニット４００は、長ネジ１３３により左右への移動を規制されているので、長ネジ１３３の延在方向に沿って前方（図中の下方）に移動する。接点ユニット４００が前進すると、接点ユニット４００の電気接点１２６が可動接点１１６の上方に移動して、電気接点１２６および可動接点１１６が接する。
【００６７】
なお、被駆動部１２５の縁部が斜面１２４を上り切るまでの過程で、電気接点１２６は、可動接点１１６と摺動する。この摺動により、電気接点１２６および可動接点１１６の表面が相互に擦過され、各接点表面の酸化物等が除去される。
【００６８】
このように、交換レンズ１００の回転力を、マウント爪１１４から駆動部材５００に伝えて利用することにより、電気接点１２６および可動接点１１６を相互に接触させて電気的に接続させることができる。また、電気接点１２６および可動接点１１６が接続する過程において、可動接点１１６は、絶縁体１２１に接触することがない。従って、絶縁体１２１を形成する樹脂の磨耗粉を生じることも防止される。
【００６９】
なお、交換レンズ１００をカメラボディ２００から取り外す場合は、カメラボディ２００のロック解除ボタン１９２を押しながら、交換レンズ１００を逆に（カメラボディ２００の前から見て時計回りに）回転させる。この場合は、回転につれて交換レンズ１００のマウント爪１１４が移動し始めると、駆動部材５００がコイルバネ１３１に押されて右方に移動する。
【００７０】
これにより、板バネ１３５に押された接点ユニット４００は、駆動部材５００の斜面１２４に沿って後退して、電気接点１２６および可動接点１１６の接触が解かれる。以後、交換レンズ１００が更に回転した場合も、可動接点１１６が接点ユニット４００を擦過することはない。
【００７１】
カメラボディ２００から交換レンズ１００がはずれている状態では、接点ユニット４００がカメラボディ２００の奥に退避している。従って、カメラボディ２００の外部から飛来した塵芥が接点ユニット４００の電気接点１２６に付着することも抑制される。
【００７２】
図１２は、交換レンズ１００の他の構造を示す斜視図である。以下に説明する部分を除くと、交換レンズ１００は、図１に示した交換レンズ１００と同じ構造を有する。そこで、共通の要素には同じ参照番号を付して重複する説明を省く。
【００７３】
交換レンズ１００は、可動接点１１６を、光軸Ｘと直交する後端面に有する点で固有の構造を有する。即ち、交換レンズ１００において、可動接点１１６は、交換レンズ１００の光軸Ｘと平行な方向に付勢され、マウント面１１２から後方に向かって突出する。この可動接点１１６は、カメラボディ２００側の接点に対して、光軸Ｘと平行な方向に当接する。
【００７４】
図１３は、図１２に示した交換レンズ１００に対応するカメラボディ２００を示す斜視図である。カメラボディ２００も、以下に説明する部分を除くと、図２に示したカメラボディ２００と同じ構造を有する。そこで、共通の要素には同じ参照番号を付して重複する説明を省く。
【００７５】
カメラボディ２００は、筐体１４０の表面に配されたフラッシュ装置１４３、コネクタカバー１５０、レバースイッチ１６０、表示部１７０、ダイヤルスイッチ１８０、押しボタン１９０、ロック解除ボタン１９２等を備える。また、筐体１４０の前面には、マウント２６０を有する。
【００７６】
フラッシュ装置１４３は、要求に応じて閃光を発生して、カメラボディ２００による撮像で露出不足になるような撮影条件において照明光を補う。図１で、フラッシュ装置１４３は起立した状態で描かれるが、使用しない場合は折り畳まれて筐体１４０と連続した面をなす。表示部１７０は、電池の残量、記録媒体の残り容量、設定された撮影条件等を表示する。なお、図示されていない筐体１４０の背面にも表示部が設けられる場合もある。
【００７７】
マウント２６０は、マウント面２６２およびマウント爪２６４と共に、接点ユニット４００を含む。即ち、マウント面２６２の一部に電気接点１２６が配されると共に、電気接点１２６を含むマウント面の一部領域が接点ユニット４００を形成する。これにより、電気接点１２６は、交換レンズ１００側のマウント面１１２に配された可動接点１１６に対向する。
【００７８】
なお、図示の状態では交換レンズ１００が装着されていないので、接点ユニット４００は、環状のマウント面２６２の径方向に移動している。従って、交換レンズ１００をカメラボディ２００に装着する時点では、接点ユニット４００の電気接点１２６は、交換レンズ１００の可動接点１１６から離間している。
【００７９】
図１４は、カメラボディ２００の接点ユニット４００を移動させる駆動部材５００を、単体の接点ユニット４００と併せて示す斜視図である。なお、図９に示した接点ユニット４００および駆動部材５００と共通する要素には同じ参照番号を付して重複する説明を省く。
【００８０】
また、図中の矢印Ｈ、Ｌ、Ｆ、Ｒは、接点ユニット４００および駆動部材５００が装着された場合のカメラボディ２００の上下前後を表す。即ち、矢印Ｆが示す方向はカメラボディ２００においてフラッシュ装置１４３が配された上面側を、矢印Ｂが示す方向はカメラボディ２００の底面側を、矢印Ｆはカメラボディ２００の前面側を、矢印Ｒはカメラボディ２００の背面側を、それぞれ示す。
【００８１】
駆動部材５００において、斜面１２４は、本体１２２の前面に対して直交する面により形成される。この斜面１２４は、それぞれ、交換レンズ１００の光軸Ｘに平行でもある。
【００８２】
被駆動面１２９は、駆動部材５００の前面から下方にオフセットして配置される。これにより、被駆動面１２９は、マウント面２６２と面一に配置された接点ユニット４００の直後において、交換レンズ１００のマウント爪１１４に当接する。
【００８３】
図１５は、接点ユニット４００の裏面形状を示す斜視図である。接点ユニット４００は、一対の被駆動部１２５、長穴１２８を有する。また、絶縁体１２１は、上面両端に形成された段差において、板バネ１３５により下方に向かって付勢される。
【００８４】
長穴１２８は、絶縁体１２１の両端近傍において、絶縁体１２１の高さ方向に延在する。これにより、接点ユニット４００の移動は、専ら上下方向に限られる。被駆動部１２５は、絶縁体１２１の背面から後方に突出する。被駆動部１２５は、駆動部材５００の斜面１２４に接する。
【００８５】
交換レンズ１００がカメラボディ２００に装着されておらず、駆動部材５００がコイルバネ１３１に付勢されて図中右方に寄っている場合は、被駆動部１２５が斜面１２４の上端まで登る。これにより、接点ユニット４００は、レンズマウント２６０に対して上方に移動した状態となる。
【００８６】
また、交換レンズ１００のマウント爪１１４により駆動部材５００が押された場合、接点ユニット４００は板バネ１３５により下方に付勢されているので、被駆動部１２５が斜面１２４に沿って降下して、接点ユニット４００も降下する。これにより、接点ユニット４００の電気接点１２６は、交換レンズ１００の可動接点１１６に接する位置まで降下する。こうして、電気接点１２６および可動接点１１６が摺動しつつ当接して、両者の電気的接続が確実に得られる。
【００８７】
なお、上記実施形態では、交換レンズ１００側に可動接点１１６を配して、カメラボディ２００側に移動する接点ユニット４００を配した。しかしながら、可動接点１１６をカメラボディ２００側に配した場合にも、同様の効果が得られる。また、接点ユニット４００の電気接点１２６を可動接点とした場合も同様に有効になる。逆に、移動する接点ユニット４００を、交換レンズ１００側に設けてもよい。
【００８８】
更に、上記の実施形態では、交換レンズ１００を着脱する場合の回転により接点ユニット４００を移動させたが、他の動作を接点ユニット４００の駆動に利用してもよい。例えば、交換レンズ１００を着脱する場合にカメラボディ２００のマウント２６０に対して進退するロック解除ボタン１９２またはロックピン１９４を接点ユニット４００と連動させることにより、接点ユニット４００を移動させてもよい。
【００８９】
また更に、上記の実施形態は、交換レンズ１００の可動接点１１６とカメラボディ２００側の電気接点１２６とが電気的に接続される場合について説明した。しかしながら、交換レンズ１００およびカメラボディ２００が、電気信号以外の信号の信号路を結合させる場合にも、上記の構造を有効になる。
【００９０】
例えば、可動接点１１６および電気接点１２６に換えて、光導波路の端面を突き合わせることにより光信号の伝送路を結合させる光接点を、上記の構造に適用することもできる。ただし、光接点は互いに摺動しないことが好ましいので、交換レンズ１００側の接点とカメラボディ２００側の接点とが接触した後の摺動は最小限に留めることが好ましい。
【００９１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現し得ることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９３】
１００  交換レンズ、１０１  スライドスイッチ、１０２  ロック穴、１１０  固定筒、１１１  鏡筒制御部、１１２  マウント面、１１４  マウント爪、１１５  リブ、１１６  可動接点、１１８、１４４  差し込み指標、１２０  ズームリング、１２１  絶縁体、１２２  本体、１２３  案内穴、１２４  斜面、１２５  被駆動部、１２６  電気接点、１２７  逃げ溝、１２８  長穴、１２９  被駆動面、１３０  ピントリング、１３１  コイルバネ、１３３  長ネジ、１３５  板バネ、１４０  筐体、１４３  フラッシュ装置、１５０  コネクタカバー、１６０  レバースイッチ、１７０  表示部、１８０  ダイヤルスイッチ、１９０  押しボタン、１９２  ロック解除ボタン、１９４  ロックピン、２００  カメラボディ、２１０  撮像素子、２１２  光学フィルタ、２２０  シャッタ、２２１  連動爪、２２２  絞り装置、２３０  焦点検出装置、２４０  主鏡、２４２  副鏡、２５０  主制御部、２６０  マウント、２６２  マウント面、２６４  マウント爪、２７０  ペンタプリズム、２７２  フォーカシングスクリーン、２８０  測光部、２９０  接眼光学系、２９２  ハーフミラー、２９４  ファインダＬＣＤ、２９６  メインＬＣＤ、３００  カメラシステム、４００  接点ユニット、５００  駆動部材
【図１】
2011175191.tif 000003
【図２】
2011175191.tif 000004
【図３】
2011175191.tif 000005
【図４】
2011175191.tif 000006
【図５】
2011175191.tif 000007
【図６】
2011175191.tif 000008
【図７】
2011175191.tif 000009
【図８】
2011175191.tif 000010
【図９】
2011175191.tif 000011
【図１０】
2011175191.tif 000012
【図１１】
2011175191.tif 000013
【図１２】
2011175191.tif 000014
【図１３】
2011175191.tif 000015
【図１４】
2011175191.tif 000016
【図１５】
2011175191.tif 000017